(57)【特許請求の範囲】
【請求項１】
溝部内の異物を排出する異物排出構造であって、
前記溝部に沿ってスライド可能に支持されるスライド部材と、
前記スライド部材のスライド方向に延びて断面略凹溝状に形成された前記溝部と、該溝部の上方に設けられる開口部と、
前記溝部の内部における前記スライド部材のスライド方向一端部及び他端部の少なくとも一方の端部に設けられる傾斜面部と、を備え、
前記傾斜面部は、前記溝部の底面から前記開口部側に向かってスライド方向外方側へ傾斜して設けられ、
前記溝部の底面側に位置する該傾斜面部の基端縁は、前記溝部の底面と略同一の幅寸法を有し、前記開口部側に位置する前記傾斜面部の先端縁は、前記基端縁よりも幅寸法が小さく形成されるとともに、該先端縁が前記開口部から外側に延びて設けられていることを特徴とする異物排出構造。
【請求項２】
支持体とスライド体とに亘って電線を配索する電線配索装置であって、
前記支持体又は前記スライド体の一方に設けられて前記電線の余長部分を収容するケースと、
前記ケースにスライド可能に支持されるとともに前記電線を該ケースの内部から前記支持体又は前記スライド体の他方へ導くスライド部材と、を備え、
前記ケースは、前記スライド部材のスライド方向に延びて断面略凹溝状に形成された溝部と、該溝部の底面に対向して設けられて前記スライド部材を挿通させる開口部と、を有し、請求項１に記載の異物排出構造によって前記溝部内の異物が排出可能に構成され、
前記ケースの内部における前記スライド部材のスライド方向一端部及び他端部の少なくとも一方の端部に前記傾斜面部が設けられていることを特徴とする電線配索装置。
【請求項３】
前記傾斜面部の基端縁側には、スライド方向と交差する幅方向外側に向かうにしたがってスライド方向内方側へ曲がる凹状の曲面部が形成されていることを特徴とする請求項２に記載の電線配索装置。
【請求項４】
前記溝部における一対の側面の少なくとも一方に沿って延出面部が設けられ、該延出面部は、前記傾斜面部からスライド方向内方側に突出するとともに、該突出方向の先端縁がスライド方向と交差する幅方向外側に拡がって形成されていることを特徴とする請求項２又は３に記載の電線配索装置。
【請求項５】
前記延出面部よりも前記開口部側には、該延出面部よりも幅方向内側に位置する案内面部が該延出面部に連続して設けられていることを特徴とする請求項４に記載の電線配索装置。
【請求項６】
前記傾斜面部の先端縁よりもスライド方向外方側には、前記開口部から前記ケースの外部に向かって突出する突出片が設けられていることを特徴とする請求項２〜５のいずれか一項に記載の電線配索装置。
【請求項７】
前記ケースには、前記開口部に沿って取り付けられて互いに隙間を介して設けられる一対のモールと、該モールの長手方向端部を覆って取り付けられるカバーと、が設けられ、
前記突出片は、前記一対のモールの隙間に挿通されかつ該モールの長手方向端部側に延びて形成されるとともに、該長手方向端部側に向かうにしたがって突出寸法が小さく形成され、該突出寸法が小さく形成された該突出片の端部側が前記カバーに覆われていることを特徴とする請求項６に記載の電線配索装置。
【発明の詳細な説明】
【技術分野】
【０００１】
本発明は、溝部内の異物を排出する異物排出構造、及び、支持体とスライド体とに亘って電線を配索する電線配索装置に関するものである。
【背景技術】
【０００２】
例えば、自動車等において、支持体としての車体にスライド体としてのスライドシートがスライド可能に設けられている。スライドシートには、乗員が着座しているか否かを検出する着座センサや、シートベルトを装着しているか否かを検出するシートベルトセンサ等の電子機器が取り付けられている。このため、スライドシートが設けられた車両には、スライドシートに取り付けられた前記電子機器と車体側に設けられた制御装置等の電子機器とを接続するために、車体とスライドシートとに亘って電線を配索する種々の電線配索装置が用いられてきた（例えば、特許文献１参照）。
【０００３】
電線配索装置は、スライドシートに取り付けられた電子機器と車体側に設けられた制御装置等の電子機器とを接続する電線と、スライドシートの下方に配置されて電線の余長部分を収容したケースと、ケースの内部に設けられたレールと、ケース及びレールにスライド可能に支持されるとともに内側に通した電線をケース内からスライドシート側に導くプロテクタ（スライド部材）とを有している。ケースは、スライドシートのスライド方向に延びた箱状に形成され、このケースには、電線の余長部分をＵ字状に曲げた状態で収容する余長収容部が設けられている。また、ケースの上部には、スライド方向に延びるとともにプロテクタを挿通させる開口部が形成されている。
【０００４】
プロテクタは、電線の余長収容部の一部を把持する固定部と、固定部に連なりＬ字の筒状に形成された電線収容部と、電線収容部の外表面に設けられてレール内にスライド可能に収容された摺動部と、を有している。このプロテクタは、紐等によりブラケットを介してスライドシートから引っ張られることで、スライドシートと連動してスライドする。このプロテクタは、固定部により把持した電線を電線収容部の内側に通してスライドシート側に導くものである。
【０００５】
プロテクタを挿通させる開口部には、一対のモールが取り付けられている。これらのモールは、それぞれ合成樹脂であり、ケースの開口部を覆う弾性変形自在な覆い片を有して形成されている。これらの覆い片は、開口部を覆うことによってケース内に異物が進入することを防止するように機能する。
【０００６】
ところで、前述のように一対のモールによってケース内への異物の進入が防止された電線配索装置であっても、一対の覆い片の隙間から異物がケース内に侵入することを完全に防止することは困難である。そこで、ケースやレール等に異物が侵入した場合に、この異物をケースやレール等の内部から排出するための異物排出構造が提案されている（例えば、特許文献２、３参照）。
【０００７】
特許文献２記載のシートスライド装置では、スライドシートを案内するロアレールの端部にカバーが装着され、このカバーに傾斜面部が設けられている。ロアレール内に進入した異物は、アッパーレールのスライドに伴ってカバー側に移動されるとともに、カバーの傾斜面部に沿って押し上げられてからロアレールの後方外部に排出されるようになっている。
【０００８】
特許文献３記載のスライドレール構造では、ロアレールの端部にレッグカバーが装着され、このレッグカバーよりもロアレールの中間部側に板バネが取り付けられている。この板バネは、ロアレールの端部側に向かって上方に傾斜して設けられている。ロアレール内に進入した異物（電子ライター）は、アッパーレールのスライドに伴って板バネに載って移動されるとともに、レッグカバーよりも上方に突出して押し上げられるようになっている。
【先行技術文献】
【特許文献】
【０００９】
【特許文献１】特開２００６−４２４５５号公報
【特許文献２】特開平１０−１５１９７７号公報
【特許文献３】特開２００５−８０６５号公報
【発明の概要】
【発明が解決しようとする課題】
【００１０】
しかしながら、特許文献２、３に記載されたような従来の異物排出構造においては、ケースやレール内に進入した異物の形状等によっては適切に排出することができないという問題があった。即ち、進入が想定される異物としては、鍵やコイン、ボールペン、ライターなど、薄板形状や棒形状など様々であり、特許文献２、３記載の異物排出構造では、各種の異物に対応して排出することが困難である。
【００１１】
特許文献２記載のカバーにおいて、傾斜面部は複数のリブによって構成されていると、棒形状の異物がリブ間に刺さってしまい排出されないことがある。また、傾斜面部の頂部がロアレールの開口上端よりも低く形成されており、異物はロアレールの上方に排出されずに後方へ排出されることから、ロアレールの後方に荷物などが置かれていると異物が排出されないことがある。
【００１２】
特許文献３記載の板バネは、アッパーレールに押圧されて下方に撓むような弾性を有しているため、比較的重量の軽い異物であれば板バネに載せて押し上げることができるものの、異物が重い場合には、板バネが下方に撓んでしまって排出できないことがある。また、板バネを撓ませるためのクリアランスが、板バネ後端とレッグカバーとの間に設けられていることから、板バネに載った異物がレッグカバーとの間に落下してしまう可能性もある。
【００１３】
したがって、本発明は、溝部内に進入した異物を適切に排出することができる異物排出構造及び電線配索装置を提供することを目的とする。
【課題を解決するための手段】
【００１４】
上記目的を達成するために請求項１に記載の異物排出構造は、溝部内の異物を排出する異物排出構造であって、前記溝部に沿ってスライド可能に支持されるスライド部材と、前記スライド部材のスライド方向に延びて断面略凹溝状に形成された前記溝部と、該溝部の上方に設けられる開口部と、前記溝部の内部における前記スライド部材のスライド方向一端部及び他端部の少なくとも一方の端部に設けられる傾斜面部と、を備え、前記傾斜面部は、前記溝部の底面及び側面に沿って立ち上がるとともに、前記溝部の底面から前記開口部側に向かってスライド方向外方側へ傾斜して設けられ、前記溝部の底面側に位置する該傾斜面部の基端縁は、前記溝部の底面と略同一の幅寸法を有し、前記開口部側に位置する前記傾斜面部の先端縁は、前記基端縁よりも幅寸法が小さく形成されるとともに、該先端縁が前記開口部から外側に延びて設けられていることを特徴とする。
【００１５】
請求項２に記載の電線配索装置は、支持体とスライド体とに亘って電線を配索する電線配索装置であって、前記支持体又は前記スライド体の一方に設けられて前記電線の余長部分を収容するケースと、前記ケースにスライド可能に支持されるとともに前記電線を該ケースの内部から前記支持体又は前記スライド体の他方へ導くスライド部材と、を備え、前記ケースは、前記プロテクタのスライド方向に延びて断面略凹溝状に形成された溝部と、該溝部の底面に対向して設けられて前記スライド部材を挿通させる開口部と、を有し、請求項１に記載の異物排出構造によって前記溝部内の異物が排出可能に構成され、前記ケースの内部における前記スライド部材のスライド方向一端部及び他端部の少なくとも一方の端部に前記傾斜面部が設けられていることを特徴とする。
【００１６】
請求項３に記載の電線配索装置は、請求項２に記載された電線配索装置において、前記傾斜面部の基端縁側には、スライド方向と交差する幅方向外側に向かうにしたがってスライド方向内方側へ曲がる凹状の曲面部が形成されていることを特徴とする。
【００１７】
請求項４に記載の電線配索装置は、請求項２又は３に記載の電線配索装置において、前記溝部における一対の側面の少なくとも一方に沿って延出面部が設けられ、該延出面部は、前記傾斜面部からスライド方向内方側に突出するとともに、該突出方向の先端縁がスライド方向と交差する幅方向外側に拡がって形成されていることを特徴とする。
【００１８】
請求項５に記載の電線配索装置は、請求項４に記載の電線配索装置において、前記延出面部よりも前記開口部側には、該延出面部よりも幅方向内側に位置する案内面部が該延出面部に連続して設けられていることを特徴とする。
【００１９】
請求項６に記載の電線配索装置は、請求項２〜５のいずれか一項に記載の電線配索装置において、前記傾斜面部の先端縁よりもスライド方向外方側には、前記開口部から前記ケースの外部に向かって突出する突出片が設けられていることを特徴とする。
【００２０】
請求項７に記載の電線配索装置は、請求項６に記載の電線配索装置において、前記ケースには、前記開口部に沿って取り付けられて互いに隙間を介して設けられる一対のモールと、該モールの長手方向端部を覆って取り付けられるカバーと、が設けられ、前記突出片は、前記一対のモールの隙間に挿通されかつ該モールの長手方向端部側に延びて形成されるとともに、該長手方向端部側に向かうにしたがって突出寸法が小さく形成され、該突出寸法が小さく形成された該突出片の端部側が前記カバーに覆われていることを特徴とする。
【発明の効果】
【００２１】
請求項１又は２に記載された発明によれば、傾斜面部の基端縁が溝部の底面と略同一の幅寸法を有していることで、様々な形状及び寸法の異物を傾斜面部の基端縁ですくい上げることができる。さらに、傾斜面部の基端縁よりも先端縁の幅寸法が小さく形成されていることで、この傾斜面部に異物を沿わせて排出する際に、先端側に向かうにしたがって異物の排出方向を規定することができ、開口部に向かって異物を適切に排出することができる。また、傾斜面部の先端縁が開口部から外側に延びているので、異物を溝部の外側まで確実に排出することができる。
【００２２】
請求項３に記載された発明によれば、傾斜面部の基端縁側に凹状の曲面部が形成されているので、この曲面部に沿わせて異物を溝部の幅方向中央側に案内することができ、異物の排出方向をより確実に規定することができる。
【００２３】
請求項４に記載された発明によれば、傾斜面部からスライド方向内方側に突出した延出面部によって異物を傾斜面部に向かって案内することができるとともに、延出面部の先端縁が外側に拡がって形成されているので、この延出面部によって、溝部の幅方向中央側かつ傾斜面部に向かって異物を確実に案内することができる。
【００２４】
請求項５に記載された発明によれば、延出面部に連続した案内面部が設けられているので、延出面部で幅方向中央側かつ傾斜面部に案内した異物を、さらに案内面部によって、開口部側に向かって確実に案内し、傾斜面部に受け渡すことができる。
【００２５】
請求項６に記載された発明によれば、突出片が開口部からケースの外部に向かって突出しているので、傾斜面部に沿って押し上げられた異物を突出片がさらに案内してケースの外部に排出することができる。
【００２６】
請求項７に記載された発明によれば、ケースに一対のモールが設けられ、これらの隙間に突出片が挿通されることで、突出片が案内した異物をモールの外側に排出することができる。モールの長手方向端部を覆ってカバーが取り付けられた場合において、突出寸法を小さく形成した突出片の長手方向端部側をカバーで覆うことで、端部側よりも突出寸法が大きい中間部側の突出片とカバーとの段差を小さくする、又は、中間部側の突出片がカバーよりも突出するようにできる。従って、突出片で案内して排出した異物がカバーに引っ掛かりにくくでき、カバーの脱落を防止することができる。
【図面の簡単な説明】
【００２７】
【図１】本発明の一実施の形態にかかる電線配索装置を示す斜視図である。
【図２】前記電線配索装置のケース及びプロテクタを示す斜視図である。
【図３】前記ケースの要部を示す斜視図である。
【図４】前記ケースのロアケース及び異物排出部材を示す斜視図である。
【図５】前記ケース及び異物排出部材を示す断面図である。
【図６】（Ａ），（Ｂ）は、前記異物排出部材を示す正面図及び側面図である。
【図７】（Ａ），（Ｂ）は、前記異物排出部材を示す平面図及び底面図である。
【図８】前記異物排出部材の作用を示す断面図である。
【図９】（Ａ）〜（Ｃ）は、前記異物排出部材の作用を示す断面図である。
【図１０】（Ａ），（Ｂ）は、前記異物排出部材の他の作用を示す断面図である。
【発明を実施するための形態】
【００２８】
本発明の一実施の形態にかかる電線配索装置を図１〜図９を用いて説明する。
【００２９】
電線配索装置１は、図示しないスライド体としての車両用スライドシートに取り付けられた電子機器と、図示しない支持体としての車体側に設けられた電子機器と、を接続するために車体とスライドシートとに亘って電線（図示省略）を配索する装置である。なお、本実施形態では、電線配索装置１は、自動車に適用されるものを例示するが、本発明の電線配索装置は、自動車に限らず、各種の機器や構造物に適用可能であり、また、自動車においても車両用スライドシートに限らず、スライドドアなどの各種スライド体へ電線を配索するものとして適用可能である。
【００３０】
電線配索装置１は、図１〜図３に示すように、一端がスライドシートの電子機器に接続されて他端が車体側の制御装置に接続された電線と、スライドシートの下方に配置されて電線の余長部分を収容したケース２と、ケース２にスライド可能に取り付けられて内側に通した電線をケース２内からスライドシート側に導くスライド部材としてのプロテクタ３と、スライドシートに取り付けられてプロテクタ３に接続されるブラケット４と、ケース２に取り付けられてプロテクタ３をケース２の内外に挿通させる一対のモール５（５Ａ，５Ｂ）と、一対のモール５の一端部（図１、２中、左端部）上面を覆って設けられるカバー（意匠部品）である端部カバー６と、当該一端部側におけるケース２の内部に設けられる異物排出部材７と、を備えている。
【００３１】
ケース２は、金属板にプレス加工が施されて形成されたアッパーケース２Ａ及びロアケース２Ｂが重ね合わされ、これらが互いにボルト固定されて略中空箱状に構成されている。このケース２は、スライドシートのスライド方向に延びて長尺状に形成されており、このスライド方向を図１〜４中の矢印Ｋで表す。また、ケース２には、電線の余長部分をＵ字状に曲げた状態で収容する余長収容部が設けられ、ケース２の上部には、スライド方向に延びた開口部２０が形成されている。
【００３２】
アッパーケース２Ａは、スライド方向に延びた板状に形成されている。ロアケース２Ｂは、図４、５にも示すように、アッパーケース２Ａと対向する底壁２１と、底壁２１の幅方向両端部立設された側壁２２と、を有し、一方の側壁２２とアッパーケース２Ａの幅方向端縁との間に開口部２０が形成されている。また、ロアケース２Ｂの底壁２１には、スライド方向に延びるとともにプロテクタ３をスライド案内するレール２３が固定されている。このレール２３は、ロアケース２Ｂの側壁２２と間隔を空けて配置されており、側壁２２とレール２３との間に溝部２４が形成されている。即ち、溝部２４は、底壁２１の一部により底面２５が構成され、側壁２２の一部により一方の側面２６が構成され、レール２３の一部により他方の側面２７が構成され、上方に開口した断面略凹溝状に形成されている。
【００３３】
プロテクタ３は、合成樹脂製の２つの部品が組み付けられて構成されている。このプロテクタ３は、電線の一部を把持する固定部と、固定部に連なりＬ字の筒状に形成された電線収容部と、電線収容部の外表面に設けられてレール２３内にスライド可能に収容される摺動部と、を有している。このプロテクタ３は、スライドシートに固定されたブラケット４から引っ張られることで、スライドシートと連動してケース２の長手方向に沿ってスライドする。また、電線収容部は、その一部が溝部２４の内側に位置するとともに、上方に延びた部分がケース２の開口部２０及び一対のモール５Ａ，５Ｂ間に挿通されてケース２の外側に延びて設けられている。従って、プロテクタ３は、そのスライドに伴って、開口部２０から溝部２４内に進入した異物を押してケース２の端部側に移動させる。
【００３４】
ブラケット４は、図１に示すように、スライドシートに固定されるスライドシート固定部４１と、枠状に形成されて内側にプロテクタ３の電線収容部を位置付けるプロテクタ保持部４２と、を有して全体略Ｌ字状に形成されている。このブラケット４は、スライドシートがスライドすると、プロテクタ保持部４２によってプロテクタ３を引っ張り、これによって、プロテクタ３がスライドシートと連動してスライドする。
【００３５】
一対のモール５Ａ，５Ｂは、それぞれ合成樹脂の弾性材料から構成されている。図５に示すように、モール５Ａは、アッパーケース２Ａの上面を覆って取り付けられる本体部５１と、本体部５１から折れ曲がりアッパーケース２Ａの開口部２０側の端縁に係止する係止部５２と、本体部５１及び係止部５２の交差位置から延びて開口部２０を覆う弾性変形自在な第１リップ部５３と、第１リップ部５３よりも下方にて係止部５２上端部から突出する第２リップ部５４と、を有している。モール５Ｂは、ロアケース２Ｂの側壁２２上端部に取り付けられる本体部５５と、本体部５５から立設される立上部５６と、立上部５６から延びて開口部２０を覆う弾性変形自在な第１リップ部５７と、第１リップ部５７よりも下方にて立上部５６基端部から突出する第２リップ部５８と、を有している。これら一対のモール５Ａ，５Ｂの第１リップ部５３，５７は、互いに微小な隙間を介して対向するとともに開口部２０を覆うことによって、ケース２内に異物が進入することを防止する。
【００３６】
端部カバー６は、合成樹脂の弾性材料から構成され、一対のモール５Ａ，５Ｂの端部上面を覆ってアッパーケース２Ａに取り付けられている。この端部カバー６は、一対のモール５Ａ，５Ｂの端部が捲れ上がるのを防止するとともに、車体の床に設けられる図示しないフロアカーペットの見切り部品や押さえ部品として機能する。
【００３７】
異物排出部材７は、プロテクタ３によってケース２の端部に移動された異物を開口部２０及びモール５Ａ，５Ｂの隙間からケース２外に排出するためのものである。この異物排出部材７は、合成樹脂製の一体成形部品であって、図５〜図７に示すように、溝部２４に嵌め込まれて装着され、溝部２４の底面２５及び一対の側面２６，２７に沿って立ち上がる本体部７１と、この本体部７１から下方に突出して底面２５に係合される係合突部７２と、本体部７１の側方からレール２３上面に沿って膨出した膨出部７３と、本体部７１から側面２６及びモール５Ｂに沿って延設された板状延出部７４と、を有して形成されている。なお、以下では、矢印Ｋで示すスライド方向を異物排出部材７の長さ方向として図中に矢印Ｘで表し、スライド方向と水平に交差する方向を異物排出部材７の幅方向として図中に矢印Ｙで表し、長さ方向及び幅方向と交差する方向を異物排出部材７の高さ方向として図中に矢印Ｚで表すこととする。
【００３８】
本体部７１は、溝部２４の底面２５に密接される底部７５を有し、この底部７５から高さ方向上方に向かって長さ方向及び幅方向の寸法が縮小された全体略四角錐台状に形成されている。この本体部７１は、溝部２４の側面２６に沿う第一側面部７１Ａと、溝部２４の側面２７に沿う第二側面部７１Ｂと、長さ方向（スライド方向）における溝部２４の内方側（即ち、ケース２の中間部側であってプロテクタ３が存在する側）に設けられる傾斜面部７６と、長さ方向反対側（ケース２の端部側）に設けられる背面部７７と、を有する。さらに、本体部７１は、第一側面部７１Ａ上方に設けられてモール５Ｂの本体部５５に対向する第三側面部７１Ｃと、第三側面部７１Ｃ上方に設けられてモール５Ｂの第２リップ部５８に対向する第四側面部７１Ｄと、第二側面部７１Ｂ上方に設けられてモール５Ａの係止部５２及び第２リップ部５４に対向する第五側面部７１Ｅと、第四側面部７１Ｄ、第五側面部７１Ｅ、傾斜面部７６及び背面部７７の各上端縁に連続して設けられる上面部７８と、を有して形成されている。
【００３９】
本体部７１において、第一側面部７１Ａ、第三側面部７１Ｃ及び第四側面部７１Ｄが段付き状に設けられ、第二側面部７１Ｂ及び第五側面部７１Ｅが段付き状に設けられ、高さ方向上方に向かって徐々に該本体部７１の幅寸法が小さくなるように形成されている。第一側面部７１Ａには、溝部２４の側面２６に当接する当接突起７１Ｆが設けられ、第二側面部７１Ｂには、溝部２４の側面２７に当接する当接突起７１Ｇが設けられている。これらの当接突起７１Ｆ，７１Ｇがそれぞれ溝部２４の側面２６，２７に当接し、板状延出部７４の先端部が側面２６に当接することで、異物排出部材７は、溝部２４に対してがたつきなく装着されるようになっている。
【００４０】
傾斜面部７６は、溝部２４の底面２５から上方（矢印Ｚの方向）に向かってスライド方向外方側（矢印Ｘの方向）へ傾斜して形成されている。この傾斜面部７６は、溝部２４の底面２５側に位置する基端縁７６Ａの幅寸法が溝部２４における一対の側面２６，２７間の距離と略同一とされ、開口部２０側に位置する先端縁７６Ｂの幅寸法が基端縁７６Ａの幅寸法よりも小さく形成されている。この先端縁７６Ｂは、ケース２の開口部２０よりも上方に位置して設けられている。また、傾斜面部７６の基端縁７６Ａ側には、幅方向外側に向かうにしたがってスライド方向内方側へ曲がる曲面部７６Ｃ，７６Ｄが形成されている。即ち、傾斜面部７６の基端縁７６Ａは、溝部２４の底面２５に沿ってスライド方向内方側に開口した略半円弧状に形成されている。
【００４１】
膨出部７３は、レール２３上面に沿った角筒状に形成され、傾斜面部７６よりもスライド方向内方側に突出して設けられている。このように傾斜面部７６よりも突出した膨出部７３の内側面によって延出面部７３Ａが構成され、この延出面部７３Ａの突出方向先端縁には、スライド方向内方側に向かって幅方向外側に拡がる傾斜面７３Ｂが設けられている。この傾斜面７３Ｂは、上方に向かってスライド方向外方側へ傾斜して形成されている。
【００４２】
板状延出部７４は、傾斜面部７６よりもスライド方向内方側に突出して設けられ、本体部７１の第一側面部７１Ａに連続する下側板状部７４Ａと、第三側面部７１Ｃに連続する上側板状部７４Ｂと、下側板状部７４Ａと上側板状部７４Ｂとを結ぶ傾斜板状部７４Ｃと、を有している。傾斜板状部７４Ｃは、上方に向かって幅方向内側に傾斜して設けられており、従って、上側板状部７４Ｂは、下側板状部７４Ａよりも幅方向内方に位置して設けられている。下側板状部７４Ａの内側面によって延出面部７４Ｄが構成され、この延出面部７４Ｄの先端縁には、スライド方向内方側に向かって幅方向外側に拡がる傾斜面７４Ｅが設けられている。上側板状部７４Ｂの内側面によって案内面部７４Ｆが構成され、この案内面部７４Ｆの先端縁には、スライド方向内方側に向かって幅方向外側に拡がる傾斜面７４Ｇが設けられている。
【００４３】
上面部７８には、傾斜面部の先端縁よりもスライド方向外方側に延びるとともに上方に突出した突出片７９が設けられている。突出片７９は、図５に示すように、モール５Ａ，５Ｂの第１リップ部５３，５７間に挿通され、先端部がケース２の外部に向かって突出するようになっている。また、突出片７９は、傾斜面部７６の先端縁７６Ｂ側からスライド方向外方側に向かって徐々に下がる勾配を有して形成され、即ち、スライド方向内方側に位置する前端部７９Ａの突出寸法よりも、スライド方向外方側に位置する後端部７９Ｂの突出寸法が小さく形成されている。この突出片７９の後端部７９Ｂは、第１リップ部５３，５７の隙間から突出せず、端部カバー６に覆われるようになっている。
【００４４】
次に、電線配索装置１において、ケース２内の溝部２４に進入した異物の排出手順について、図８〜１０も参照して説明する。ここで、図８、９には、異物としてのライターＬを排出する場合が示され、図１０には、異物としてのペンＰを排出する場合が示されている。なお、異物としては、ライターＬやペンＰに限らず、コイン（硬貨）やキー（鍵）など、モール５Ａ，５Ｂの第１リップ部５３，５７間を挿通する様々なものが異物となり得る。
【００４５】
図８に示すように、ケース２内の溝部２４に進入したライターＬは、スライドシートのスライドに伴って移動するプロテクタ３によってケース２の端部側に押され、異物排出部材７の傾斜面部７６に沿って上方に立ち上げられる。このライターＬは、モール５Ａ，５Ｂの第１リップ部５３，５７間を通ってケース２の外部に排出されることになるが、ライターＬの先端が傾斜面部７６の先端縁７６Ｂを越えると、突出片７９の前端部７９Ａに乗り上げることとなる。この際、ライターＬの先端は、端部カバー６の端縁よりも上方に位置し、端部カバー６と接触しないようになっている。従って、端部カバー６にライターＬの着火部が接触してライターＬが着火したり、立ち上がるライターＬによって端部カバー６が捲れ上がったりすることが防止できる。
【００４６】
また、ライターＬの先端が傾斜面部７６に到達する以前においては、図９に示すように、溝部２４に進入して幅方向に倒れたライターＬを異物排出部材７が引き起こしてから、傾斜面部７６に受け渡すようになっている。ここで、ライターＬの幅方向のサイズが大きい場合には、開口部２０に引っ掛かって倒れないこともあるが、その場合にはライターＬを引き起こす必要がなく、略直立した状態のままのライターＬを図８に示すように排出すればよい。一方、ライターＬの幅方向のサイズが小さい場合には、開口部２０に引っ掛からずに倒れることから、ライターＬを引き起こす際にも引っ掛からないように、即ち、ライターＬの回動軌跡に干渉しないように、モール５Ａ，５Ｂや異物排出部材７の各部形状が設定されている。
【００４７】
具体的には、溝部２４に進入したライターＬが図９（Ａ）に示すようにレール２３側に倒れた場合、このライターＬが異物排出部材７に向かって押されてくると、図９（Ｂ）に示すように、先ず、板状延出部７４の延出面部７４Ｄの先端縁がライターＬの一方側に当接する。さらに、膨出部７３の延出面部７３Ａの先端縁がライターＬの他方側に当接し、その傾斜面７３Ｂ（図６，７参照）に沿わせてライターＬを案内し、プロテクタ３に押された移動に伴ってライターＬを立ち上げる。さらに、図９（Ｃ）に示すように、膨出部７３及び板状延出部７４の延出面部７３Ａ，７４Ｄで案内しつつライターＬを立ち上げる。この際、ライターＬは、モール５Ａの係止部５２と干渉しないようになっている。その後、ライターＬの先端を傾斜面部７６の基端縁７６Ａにおける曲面部７６Ｃ（７６Ｄ）により案内して幅方向に略直立させてから、図８に示すように、傾斜面部７６に沿わせて長さ方向に立上げて排出する。
【００４８】
次に、図１０に示すように、長尺の異物であるペンＰの場合には、その先端が傾斜面部７６を越えて突出片７９の前端部７９Ａに乗り上げた状態において、立ち上がりの角度がライターＬの場合よりも小さいことから、ペンＰの先端が端部カバー６の端縁に近づくこととなる。このような場合でも、ペンＰの先端が端部カバー６と接触しないように、突出片７９の突出寸法及び長さ寸法とともに、突出片７９の後端部７９Ｂと端部カバー６との重なり寸法が適宜に設定されている。また、幅寸法が小さいペンＰの場合には、突出片７９に乗り上げずに、上面部７８に載ってしまい場合もあるが、この場合にもペンＰの先端が端部カバー６と接触しないように各部寸法が設定されていることが好ましい。従って、排出されるペンＰの先端が引っ掛かることによって端部カバー６が捲れ上がることが防止できる。
【００４９】
以上のような本実施形態の電線配索装置１によれば、異物排出部材７の傾斜面部７６に沿わせて異物（ライターＬやペンＰ等）をケース２の外部に確実に排出することができる。また、膨出部７３や板状延出部７４の延出面部７３Ａ，７４Ｄに沿わせて異物を傾斜面部７６に案内することで、モール５Ａ，５Ｂの第１リップ部５３，５７の隙間に向かって異物を誘導しやすくなり、異物の排出方向を適切に規定することができる。さらに、ライターＬ等の異物が溝部２４で倒れたとしても、延出面部７３Ａ，７４Ｄによって異物を立ち上げてから傾斜面部７６に案内することで、異物が溝部２４内に詰まってしまうことが防止できる。また、突出片７９の突出寸法や長さ寸法を適宜に設定することで、排出途中の異物が端部カバー６の端縁に引っ掛かることを防止し、端部カバー６の捲れ上がりが防止できる。
【００５０】
なお、前述した実施形態は本発明の代表的な形態を示したに過ぎず、本発明は、実施形態に限定されるものではない。即ち、本発明の骨子を逸脱しない範囲で種々変形して実施することができる。
【００５１】
例えば、前記実施形態では、電線配索装置１について説明したが、本発明の異物排出構造は、電線配索装置に用いられるものに限らず、レール等の溝部に案内されるスライド部材を有した各種の機器や構造物に適用可能である。また、電線配索装置１において、ケース２の一端部側にのみ異物排出部材７を設けたが、他端部側に異物排出部材７を設けてもよいし、両端部側に異物排出部材７を設けてもよい。また、前記実施形態では、異物排出部材７をケース２とは別体で構成したが、これに限らず、ケース２の一部によって傾斜面部等を構成してもよいし、傾斜面部とその他の各部をそれぞれ別々の部材で構成してもよい。また、ケース２や、その内部のレール２３及び溝部２４、スライド部材（プロテクタ３）等は、前記実施形態の構成に限らず、支持体やスライド体の構成に応じた適宜な形態を有していればよい。
【符号の説明】
【００５２】
１      電線配索装置
２      ケース
３      プロテクタ（スライド部材）
５      モール
６      端部カバー
２０    開口部
２４    溝部
２５    底面
２６，２７  側面
７３Ａ，７４Ｄ  延出面部
７４Ｆ  案内面部
７６    傾斜面部
７６Ａ  基端縁
７６Ｂ  先端縁
７６Ｃ，７６Ｄ  曲面部
７９    突出片
【図１】
0005827135.tif 000002
【図２】
0005827135.tif 000003
【図３】
0005827135.tif 000004
【図４】
0005827135.tif 000005
【図５】
0005827135.tif 000006
【図６】
0005827135.tif 000007
【図７】
0005827135.tif 000008
【図８】
0005827135.tif 000009
【図９】
0005827135.tif 000010
【図１０】
0005827135.tif 000011